(57)【要約】【課題】  低コストで容易に組み立て可能な燃焼装置の点火装置、点火装置の取付装置およびバーナ装置を提供する。【解決手段】  点火プラグ３をバーナケース２２に固定するプラグ固定板（点火装置の取付装置）５を所定形状に切り起こしてタブ７１を形成する。そして、点火装置１の装置筐体１１に、上記点火プラグ３の高電圧入力端子３１に嵌合可能な形状の高電圧出力端子１２と、上記タブ７１と嵌合可能な形状の回路グランド端子１４とを設け、これらの端子を上記高電圧入力端子３１とタブ７１とに嵌合させることにより点火装置１をバーナ装置２に装着する。【選択図】  図１
2005098667.tif 000002
【特許請求の範囲】
【請求項１】
装置筐体に火花放電用の高電圧出力を生成する電気回路基板を内蔵してなる点火装置において、
前記装置筐体に、点火プラグの高電圧入力端子と係合可能な形状の高電圧出力端子と、前記装置筐体を装着する対象物側に前記電気回路基板の回路グランドと電気的に接続するために設けられた所定形状の端子と係合可能な形状の回路グランド端子とを備えた
ことを特徴とする点火装置。
【請求項２】
前記高電圧出力端子と回路グランド端子とが装置筐体の一側面に設けられ、これらがそれぞれ接続対象に対して差し込み嵌合可能な形状とされることを特徴とする請求項１に記載の点火装置。
【請求項３】
前記高電圧出力端子または回路グランド端子の少なくとも一方に、接続対象との係合状態が解除されないように脱落防止機構が設けられていることを特徴とする請求項１または２に記載の点火装置。
【請求項４】
前記脱落防止機構が、ファストンタブ端子とタブハウジングとからなるファストン機構で構成されていることを特徴とする請求項３に記載の点火装置。
【請求項５】
前記装置筐体に、前記装着対象物の所定部位と係合することによって該装置筐体を前記装着対象物の所定位置に保持する係合保持手段が設けられていることを特徴とする請求項１から４のいずれかに記載の点火装置。
【請求項６】
前記装置筐体に、前記装置筐体を装着対象物に装着するための案内手段が設けられていることを特徴とする請求項１から４のいずれかに記載の点火装置。
【請求項７】
前記高電圧出力端子は、前記点火プラグの高電圧入力端子に差し込み嵌合可能な形状とされる一方、前記回路グランド端子は、締付具により前記装着対象物に共締め可能な形状とされていることを特徴とする請求項１に記載の点火装置。
【請求項８】
前記点火装置は、装置筐体に前記高電圧出力端子、前記回路グランド端子または前記電源入力端子のうちの少なくとも一つを保護する保護カバーを備えていることを特徴とする請求項１から７のいずれかに記載の点火装置。
【請求項９】
前記点火装置は、前記高電圧出力端子と前記回路グランド端子との間に短絡防止手段が設けられていることを特徴とする請求項１から８のいずれかに記載の点火装置。
【請求項１０】
前記装置筐体は耐熱性を有する材質により形成されていることを特徴とする請求項１から９のいずれかに記載の点火装置。
【請求項１１】
装置筐体に火花放電用の高電圧出力を生成する電気回路基板を内蔵してなる点火装置を、バーナユニットを収容するバーナケースに装着するための装置であって、
前記バーナケースの外壁に取り付け可能な形状を有する装着部と、
前記装着部によって位置決めされ、かつ前記バーナケースの外壁から所定間隔離れた位置に前記点火装置を保持する点火装置保持部と、
前記点火装置保持部に保持された点火装置と前記バーナケースとの間に介装される遮熱部と、
前記装着部を介して前記バーナケースの外壁と電気的に接続されるとともに、点火装置の回路グランド端子と直接係合可能な形状の回路グランド装着部とを備える
ことを特徴とする点火装置の取付装置。
【請求項１２】
前記遮熱部は、板状の部材で形成され、この遮熱部によって前記点火装置の外壁と前記遮熱部の一方の面との間および前記バーナケースの外壁と前記遮熱部の他方の面との間の双方にそれぞれに空気層が形成されることを特徴とする請求項１１に記載の点火装置の取付装置。
【請求項１３】
バーナユニットを収容するバーナケースと、該バーナケースの内側に放電電極が位置するとともにバーナケースの外側に高電圧入力端子が配設された点火プラグとを備えたバーナ装置において、
前記バーナケース側において、前記点火プラグからの火花放電を受ける部位と電気的に接続された所定部位に、前記点火プラグに高電圧を供給する点火装置の回路グランドと電気的に接続された回路グランド端子と係合可能な形状を備えた回路グランド装着端子を備えている
ことを特徴とするバーナ装置。
【請求項１４】
前記回路グランド装着端子が、前記点火プラグの高電圧入力端子と並んで同一方向に突出するように前記バーナケースに取り付けられていることを特徴とする請求項１３に記載のバーナ装置。
【請求項１５】
前記回路グランド装着端子または前記点火プラグの高電圧入力端子の少なくともいずれか一方に、これら端子に接続される接続対象との係合状態が解除されないように脱落防止機構が設けられていることを特徴とする請求項１３または１４に記載のバーナ装置。
【請求項１６】
前記点火装置の所定部位と係合することによって該点火装置をバーナケース近傍の所定位置に保持する係合保持手段が設けられていることを特徴とする請求項１３から１５のいずれかに記載のバーナ装置。
【請求項１７】
前記点火装置を装着するための案内手段が設けられていることを特徴とする請求項１３から１６のいずれかに記載のバーナ装置。
【発明の詳細な説明】
【技術分野】
【０００１】
この発明は点火装置およびバーナ装置に関し、より詳細には、バーナの点火プラグに放電着火用の高電圧を供給する点火装置をバーナ装置に装着する技術に関する。
【背景技術】
【０００２】
従来、燃焼装置におけるバーナへの点火には火花放電を発生させる点火プラグが用いられているが、この点火プラグに放電用の高電圧を供給する装置としてイグナイタと称する点火装置が広く用いられている。
【０００３】
この種の点火装置は、周知のとおり、高電圧を発生させる電気回路基板（図示せず）が装置筐体内に組み込まれており、商用電源などの一次電源と接続される電源入力端子に印加された入力電圧を上記火花放電が可能な高電圧に昇圧させて高電圧出力端子から出力するように構成されている（たとえば、特許文献１参照）。
【０００４】
図１６(a)は、かかる点火装置１をバーナ装置２に取り付けた状態を示している。図示のように、この種の点火装置１は、バーナユニット２１が納められたバーナケース２２の近傍に配設された専用の取付板ａに装着されている。具体的には、この取付板ａは、点火プラグ３からの火花放電を受ける部位（たとえば、バーナユニット部やバーナケース部など）と電気的に接続されており、上記点火装置１の装置筐体１１がこの取付板ａにビス４によってビス止め固定されることによって、装置筐体１１内の電気回路基板の回路グランドと火花放電を受ける部位とが電気的に接続されるように構成されている。
【０００５】
そして、上記ビス止めとともに、上記点火装置１の高電圧出力端子１２と点火プラグ３の高電圧入力端子３１とを高圧コードｂで結線することにより、点火装置１と点火プラグ３と放電空間を介して火花放電を受けるバーナユニット２１等とが電気的に接続され、点火プラグ３からの火花放電が行われている。
【０００６】
なお、図において符号５で示すのは、点火プラグ３をバーナケース２２に固定するためのプラグ固定板を示している。また、符号３２はバーナユニット２１との間で火花放電を行う点火プラグ３の放電電極を示している。さらに符号１３は点火装置１の電源入力端子を示しており、また符号６は電源入力用の低圧コードを示している。
【０００７】
また、図１６(b) は、複数（図示例では２個）の点火プラグ３に対して高電圧を供給可能に構成してなる点火装置１を図示しており、この場合、点火装置１の装置筐体１１には、点火プラグ３の数に応じて複数（図示例では２個）の高電圧出力端子１２が設けられ、各高電圧出力端子１２が高圧コードｂを用いて点火プラグ３の高電圧入力端子３１と結線される。
【０００８】
【特許文献１】実公平１−８８５９号公報
【発明の開示】
【発明が解決しようとする課題】
【０００９】
しかしながら、このような従来の構成では以下のような問題がありその改善が望まれていた。
【００１０】
すなわち、点火装置１を専用の取付板ａにビス止め固定する構成では、燃焼装置の組み立てにあたり、ビス止めの工程が必要になるため組み立て作業が煩雑である。また、部品点数の面でも、上記ビス止め用のビスに加えて高圧コードｂを必要とするため、燃焼装置の製造コストの上昇を招くという問題もあった。殊に、高圧コードは高価な部品であり、高圧コード使用による製造コストの上昇は無視できないものであった。
【００１１】
本発明はこのような従来の問題点に鑑みてなされたものであって、その目的とするところは、低コストで容易に組み立て可能な燃焼装置の点火装置、点火装置の取付装置およびバーナ装置を提供することにある。
【課題を解決するための手段】
【００１２】
上記目的を達成するため、本発明に係る点火装置は、装置筐体に火花放電用の高電圧出力を生成する電気回路基板を内蔵してなる点火装置において、前記装置筐体に、点火プラグの高電圧入力端子と係合可能な形状の高電圧出力端子と、前記装置筐体を装着する対象物側に前記電気回路基板の回路グランドと電気的に接続するために設けられた所定形状の端子と係合可能な形状の回路グランド端子とを備えたことを特徴とする。
【００１３】
そして、その好適な第一の実施態様として、前記高電圧出力端子と回路グランド端子とが装置筐体の一側面に設けられ、これらがそれぞれ接続対象に対して差し込み嵌合可能な形状とされることを特徴とする。
【００１４】
そして好ましくは、前記高電圧出力端子または回路グランド端子の少なくとも一方に、接続対象との係合状態が解除されないように脱落防止機構が設けられる。なお、この脱落防止機構には、ファストンタブ端子とタブハウジングとからなるファストン機構が好適に採用される。
【００１５】
また、好ましくは、前記装置筐体には、前記装着対象物の所定部位と係合することによって該装置筐体を前記装着対象物の所定位置に保持する係合保持手段が設けられる。さらに、前記装置筐体に、前記装置筐体を装着対象物に装着するための案内手段が設けられる。
【００１６】
また、本発明は、他の好適な第二の実施態様として、前記高電圧出力端子は、前記点火プラグの高電圧入力端子に差し込み嵌合可能な形状とされる一方、前記回路グランド端子は、締付具により前記装着対象物に共締め可能な形状とされていることを特徴とする。
【００１７】
そして、上記第一および第二の実施態様に共通の他の実施態様として、前記点火装置には、装置筐体に前記高電圧出力端子、前記回路グランド端子または前記電源入力端子のうちの少なくとも一つを保護する保護カバーが備えられる。また、前記点火装置は、前記高電圧出力端子と前記回路グランド端子との間に短絡防止手段が設けられる。さらに、前記装置筐体は耐熱性を有する材質により形成される。
【００１８】
また、本発明に係る点火装置の取付装置は、装置筐体に火花放電用の高電圧出力を生成する電気回路基板を内蔵してなる点火装置を、バーナユニットを収容するバーナケースに装着するための装置であって、前記バーナケースの外壁に取り付け可能な形状を有する装着部と、前記装着部によって位置決めされ、かつ前記バーナケースの外壁から所定間隔離れた位置に前記点火装置を保持する点火装置保持部と、前記点火装置保持部に保持された点火装置と前記バーナケースとの間に介装される遮熱部と、前記装着部を介して前記バーナケースの外壁と電気的に接続されるとともに、点火装置の回路グランド端子と直接係合可能な形状の回路グランド装着部とを備えることを特徴とする。
【００１９】
そして、その好適な実施態様として、前記遮熱部は板状の部材で形成され、この遮熱部によって前記点火装置の外壁と前記遮熱部の一方の面との間および前記バーナケースの外壁と前記遮熱部の他方の面との間の双方にそれぞれに空気層が形成されることを特徴とする。
【００２０】
一方、本発明に係るバーナ装置は、バーナユニットを収容するバーナケースと、該バーナケースの内側に放電電極が位置するとともにバーナケースの外側に高電圧入力端子が配設された点火プラグとを備えたバーナ装置において、前記バーナケース側において、前記点火プラグからの火花放電を受ける部位と電気的に接続された所定部位に、前記点火プラグに高電圧を供給する点火装置の回路グランドと電気的に接続された回路グランド端子と係合可能な形状を備えた回路グランド装着端子を備えていることを特徴とする。
【００２１】
そして、その好適な実施態様として、本発明のバーナ装置は、前記回路グランド装着端子が、前記点火プラグの高電圧入力端子と並んで同一方向に突出するように前記バーナケースに取り付けられていることを特徴とする。そして、好ましくは、前記回路グランド装着端子または前記点火プラグの高電圧入力端子の少なくともいずれか一方に、これら端子に接続される接続対象との係合状態が解除されないように脱落防止機構が設けられる。また、このバーナ装置には、前記点火装置の所定部位と係合することによって該点火装置をバーナケース近傍の所定位置に保持する係合保持手段が設けられるのが好ましく、さらに、前記点火装置を装着するための案内手段が設けられるのが好ましい。
【発明の効果】
【００２２】
本発明では、点火装置の装置筐体に、点火プラグの高電圧入力端子と係合可能な形状の高電圧出力端子と、該装置筐体を装着する対象物（たとえばバーナケース）側に設けられる回路グランド装着端子（点火装置の電気回路基板の回路グランドと電気的に接続するために設けられた端子）と係合可能な形状の回路グランド端子とが備えられているので、これらの端子を装着対象物に設けられた対応する各端子に直接係合させることで高圧コードを用いることなく点火装置を装着対象物に装着することができる。つまり、本発明によれば、点火装置の装着に高価な高圧コードを必要としないので、燃焼装置を安価に提供することができる。
【００２３】
また、点火装置の高電圧出力端子と回路グランド端子とを装置筐体の一側面に設け、これらを接続対象の端子に対して差し込み嵌合可能な形状とし、これに応じて装着対象物側の各端子を高電圧出力端子および回路グランド端子に対応させて配置しておけば、煩雑なビス止めの工程を必要とせず簡単な作業で燃焼装置を組み立てることができる。
【発明を実施するための最良の形態】
【００２４】
以下、本発明の実施形態を図面に基づいて詳細に説明する。
【００２５】
実施形態１
本発明に係る点火装置は、該点火装置をバーナ装置の装置筐体（バーナケース）またはその近傍に直接装着可能に構成することによって、高圧コードを用いることなく点火プラグに火花放電用の高電圧を供給可能にしたものであって、かかる機能を実現するために従来の点火装置およびバーナ装置の構造を改変したものである。したがって、従来の装置と同一の機能を有する部位には同一の符号を付し、その詳細な説明は省略する。
【００２６】
図１(a) は、本発明に係る点火装置１の装着方法を示す説明図であり、該点火装置１をバーナ装置２（図１(b) 参照）に装着する直前の状態を示している。
【００２７】
図示のように、本発明の点火装置１は、装置筐体１１に、点火プラグ３の高電圧入力端子３１に係合可能な形状を有する高電圧出力端子１２と、後述する回路グランド装着端子７と係合可能な形状を有する回路グランド端子１４とを備えて構成される。
【００２８】
上記装置筐体１１は、図示のように箱型に形成されており、その内部に一次電源（たとえば商用電源）から供給される電圧を火花放電が可能な高電圧に昇圧する電気回路基板が装備されている。そして、この電気回路基板の高電圧出力が上記高電圧出力端子１２に接続されるとともに、回路グランドが上記回路グランド端子１４に接続されている。そして、上述したように、本発明では上記点火装置１がバーナケース２２またはその近傍（図示例ではバーナケース２２に装着する場合を示す）に装着されるので、この装置筐体１１は耐熱性を有する材質（たとえば合成樹脂材）によって構成される。
【００２９】
上記高電圧出力端子１２は、上記装置筐体１１の側面１１ａ（図２参照）に起立状に設けられた端子であって、点火プラグ３の高電圧入力端子３１と嵌合可能な形状とされる。本実施形態では、点火プラグ３の高電圧入力端子３１は小径円柱状の金属部材で構成されているので、上記高電圧出力端子１２は、図２に示すように、該点火プラグ３の高電圧入力端子３１と嵌合する円筒形状の端子とされている。そして、この高電圧出力端子１２と上記高電圧入力端子３１とを嵌め合わせて差し込むことで、両者が電気的に接続され、高電圧出力端子１２から高電圧入力端子３１に火花放電用の高電圧が供給可能とされる。
【００３０】
ところで、上記高電圧出力端子１２と係合する点火プラグ３の高電圧入力端子３１は、従来と同様に、バーナケース２２の表面にプラグ固定板５を介して固定されるが、本実施形態では、その高電圧入力端子３１が略水平方向に折曲されている。従来のバーナ装置では、この点火プラグ３の高電圧入力端子３１は、図１６に示すように、その先端が略下向きになるように折曲されているが、本実施形態では、後述する点火装置１の装着作業を容易にし、かつ装着された点火装置１が容易に脱落しないようにするために、高電圧入力端子３１の先端を横向きに折曲している。
【００３１】
一方、上記回路グランド端子１４は、装置筐体１１において上記高電圧出力端子１２が設けられる面と同一の側面（本実施形態では側面１１ａ）に起立状に設けられる端子であって、バーナケース２２に設けられた回路グランド装着端子７と嵌合可能な形状とされる。
【００３２】
ここで、回路グランド装着端子７は、バーナ装置２において、上記点火プラグ３の放電電極３２からの火花放電を受ける部位（たとえばバーナユニット２１）と電気的に接続された端子であって、図示例では、バーナユニット２１を収容することによって該バーナユニット２１と電気的に接続された金属製のバーナケース２２に取り付けられている。
【００３３】
具体的には、図１に示すように、この回路グランド装着端子７は、点火プラグ３をバーナケース２２に装着するために用いられる金属製のプラグ固定板５の一部を所定の形状に切り起こすことにより形成されている（図１(a),(b)参照)。より詳細には、上記プラグ固定板５の下端部を切り欠いて略Ｌ字状の突出部を形成させるとともに、当該突出部をバーナケース２２から略直角に起立させることによってＬ字部分の先端が回路グランド装着端子７を構成するタブ７１を形成している。
【００３４】
このタブ７１は、図示のように薄板状の略長方形状とされ、少なくともその長手方向の辺が上記高電圧入力端子３１と並んで同一方向（本実施形態では水平方向）に延びるように設定されている。そして、本実施形態では、このタブ７１の先端には、図示しないが後述するタブハウジングの係止部材と係合する円形の孔または凹部が形成され、いわゆるファストンタブ端子の形態とされている。
【００３５】
なお、本実施形態では、上記点火プラグ３とともにバーナユニット２１における炎の有無を検出するためのフレームロッド８も上記プラグ固定板５によりバーナケース２２に装着されているが、フレームロッド８は本発明とは直接関係しないので説明は省略する。また、プラグ固定板５を装着するにあたり、該プラグ固定板５とバーナケース２２との間にガラスウール材等のパッキンが介装されることがあるが、その場合でもプラグ固定板５は金属製のビス（図示せず）によりバーナケース２２に固定されているので、プラグ固定板５とバーナケース２２とは電気的に接続されている。
【００３６】
そして、点火装置１の回路グランド端子１４は、このタブ７１と係合可能な形状、つまり、本実施形態では、上記回路グランド端子１４はファストンタブと嵌合するタブハウジングの形態とされている（図２参照）。ここで、このタブハウジングは、周知のように、その内部に弾性の係止部材（図示せず）が装備され、ハウジング内に上記タブ７１が差し込まれると、この係止部材がタブ７１に設けられた円形の孔（または凹部）と係合し、振動や衝撃によりタブ７１が容易に抜け落ちないように構成されている。つまり、本実施形態ではこの回路グランド端子１４と上記タブ７１との係合部にファストン機構からなる脱落防止機構（抜け止め機構）が備えられている。
【００３７】
そして、上記タブ７１とこのタブハウジングとを嵌合させることで、両者が電気的に接続され、その結果、上記点火プラグ３の放電電極３２からの火花放電を受ける部位と点火装置１の回路グランド端子１４とが電気的に接続され、放電用の回路が形成される。
【００３８】
本発明では、点火装置１とバーナ装置２とをこのように構成することにより、点火装置１の高電圧出力端子１２と回路グランド端子１４とを、それぞれバーナケース２２に設けられた点火プラグ３の高電圧入力端子３１とタブ７１の位置に合わせて差し込む（押し込む）ことにより（図１(a)の矢符参照)、高圧コードを用いることなく点火装置１をバーナケース２２にワンタッチで装着することができる。
【００３９】
しかも、点火装置１は横方向（水平方向）から装着される構造であり、回路グランド端子１４と回路グランド装着端子７１との係合には脱落防止機構が備えられているので、一旦装着された点火装置１は振動や衝撃で容易に脱落しない。そのため、従来のように、ビス止め作業を必要とすることなく点火装置１を容易かつ確実に装着することができる。
【００４０】
なお、上述した実施形態では、点火プラグ３の高電圧入力端子３１をバーナケース２２の壁面に沿う方向に曲折する場合を示したが、本実施形態に示す点火装置１は回路グランド端子１４および回路グランド装着端子７１に脱落防止機構が設けられているので、たとえば、高電圧入力端子３１をバーナケース２２の壁面に直交する方向に延ばしておき、バーナケース２２の正面から点火装置１を装着するように構成することも可能である。要は、点火装置１をワンタッチで装着できるように高電圧入力端子３１と回路グランド装着端子７のタブ７１とが並行に設けられていれば、点火装置１の装着方向は任意に変更することができる。
【００４１】
また、上述した実施形態では、脱落防止機構を回路グランド端子１４側にのみ設けた場合を示したが、この脱落防止機構は回路グランド端子１４側または高電圧出力端子１２側のいずれか一方、または双方に設けるように構成してもよい。また、その具体的な形態もファストン機構に限らず、他の構造の脱落防止機構を採用することも可能である。
【００４２】
実施形態２
次に、本発明の第二の実施形態について説明する。この第二の実施形態は上記第一の実施形態の改変例であって、図３に示すように、点火装置１をバーナケース２２の所定位置に保持する係合保持手段９を設けている。なお、その他の構成は上記実施形態１と同様であるので、同一の部位には同一の符号を付して説明を省略する。
【００４３】
この係合保持手段９は、上記バーナケース２２の所定部位と係合して、点火装置１の装置筐体１１をバーナケース２２の側面に吊り下げ保持するもので、本実施形態では、この係合保持手段９として、バーナケース２２に設けられる保持用基板（詳細は後述する）１０と係合可能な形状を有する係合部９１が装置筐体１１の上面１１ｂに形成されている。
【００４４】
ここで、上記保持用基板１０は、図３(b)および図４に示すように、上記プラグ固定板５の一部を所定の形状に切り起こすことにより形成されている。より詳細には、その切り起こした部位の先端が水平に（バーナケース２２の壁面に対して略直角に）折曲されて点火装置保持面１０ａを形成している。図４は、この点火装置保持面１０ａの平面拡大図であり、この点火装置保持面１０ａの所定位置には、上記点火装置１の装着方向（換言すれば、上記点火プラグ３やタブ７１の突出方向）に長孔のガイド孔（案内手段）１０１が形成されるとともに、該ガイド孔１０１の近傍に略矩形のロック孔１０２が形成されている。
【００４５】
一方、上記係合部９１の詳細を図５に示す。図５(a)は点火装置1の平面図を、図５(b)は正面図を、図５(c)は左側面図をそれぞれ示しており、この図５に示すように上記係合部９１は、上記点火装置１の上面１１ｂの所定位置に上記ガイド孔１０１と係合可能な形状のガイド用突起（案内手段）９２と、上記ロック孔１０２と係合可能な形状の固定用突起９３とを設けることにより構成される。
【００４６】
より詳細には、上記ガイド用突起９２は、図示のように、点火装置１の上面１１ｂに起立状に設けられた基端部９２ａと、この基端部９２ａの先端をＬ字状に曲折してなる先端部９２ｂとからなり、上記基端部９２ａが上記ガイド孔１０１に挿通可能な幅寸法とされている。また、上記固定用突起９３は、上記ガイド用突起９２と同様に、点火装置１の上面１１ｂに起立状に略馬頭形状の突起を形成したものであり、馬頭の顎に相当する部位の鉤部９３ａが上記ロック孔１０２の上面周縁に係合可能とされている。
【００４７】
つまり、この第二の実施形態においては、点火装置１の装着は、図６に示すように、まずガイド用突起９２の先端部９２ｂの下面を上記点火装置保持面１０ａに合わせつつガイド用突起９２の基端部９２ａを上記ガイド孔１０１に沿わせて装着方向（図中の矢符Ａで示す方向）にスライドさせる。そしてその際に、上記点火装置１の高電圧出力端子１２と回路グランド端子１４を点火プラグ３の高電圧入力端子３１と回路グランド装着端子７のタブ７１に差し込んで両者を係合させつつ、上記固定用突起９３が上記ロック孔１０２の下方近傍位置までくると、点火装置１を上方に引き上げて上記固定用突起９３をロック孔１０２に通して該固定用突起９３の鉤部９３ａをロック孔１０２の上面周縁に引っかけて係合させ、点火装置１のスライドを停止する。
【００４８】
これにより、点火装置１が回路グランド端子１４のファストン機構と、上記固定用突起９３とロック孔１０２の係合とによる二重の脱落防止機構によってバーナ装置２に装着固定される。したがって、上記実施形態１の場合に比べてより強固に点火装置１を装着することができる。
【００４９】
なお、この第二の実施形態についても、上記第一の実施形態と同様に、点火装置１の装着方向は任意に設定変更可能である。すなわち、本実施形態では、上記点火装置保持面１０ａに形成されるガイド孔１０１を、点火装置１の装着方向に沿って設けることにより、点火装置１の装着方向を適宜変更することも可能である。
【００５０】
また、本実施形態では、点火装置１を上記点火装置保持面１０ａに吊り下げ保持する場合を示したが、係合保持手段９の構成としては上述した吊り下げ保持に限らず、点火装置１を上記点火装置保持面１０ａ上に載置させるなど他の方法により点火装置を保持するように構成することも可能である。また、同様に、上述した実施形態では、点火装置１を吊り下げるにあたり、点火装置１に係合部９１としてガイド用突起９２と固定用突起９３の二つの突部を設けたが、これらの数や形状などの具体的な構成は適宜設計変更可能である。要は、点火装置１の装着がワンタッチで行われる構成であれば、他の構成を採用することも可能である。
【００５１】
また、上述した実施形態では、回路グランド端子１４側に点火装置１の脱落防止機構を設けた場合を示したが、この点も上記実施形態１と同様に、脱落防止機構は回路グランド端子１４側または高電圧出力端子１２側のいずれか一方、または双方に設けることができる。また、本実施形態では、点火装置１の係合保持手段９に脱落防止機構が採用されているので、回路グランド端子１４および高電圧出力端子１２の双方から脱落防止機構を省略することもできる。
【００５２】
実施形態３
次に、本発明の第三の実施形態について説明する。この第三の実施形態は上記第一の実施形態の改変例であって、図７に示すように、装置筐体１１の回路グランド端子１４の形状を改変したものである。
【００５３】
具体的には、上述した実施形態では上記回路グランド端子１４はいずれもバーナケース２２に設けられたタブ７１に差し込み嵌合する形態とされていたが、本実施形態に示す回路グランド端子１４′は、締付具によりバーナケース２２に共締め可能な形状とされる。つまり、本実施形態に示す回路グランド端子１４′は、上記高電圧出力端子１２を点火プラグ３の高電圧入力端子３１に係合させたときに、ビス（締付具）４によりバーナケース２２に締め付け固定可能な形状とされている。
【００５４】
すなわち、上記回路グランド端子１４′は、ビス止め用の貫通孔１４ａを備えた板状部材で構成される。そして、上記点火装置１の高電圧出力端子１２を点火プラグ３の高電圧入力端子３１に差し込み嵌合させた状態で、ビス４を上記貫通孔１４ａにねじ込むことによって回路グランド端子１４′とバーナケース２２とを当接させ、これにより回路グランド端子１４′をバーナケース２２に電気的に接続する構成とされる。
【００５５】
したがって、この第三の実施形態では、点火装置１の装着に際してビス止めの工程を必要とする不利があるものの点火装置１をバーナ装置２に確実に装着できる利点がある。したがって、この第三の実施形態では、上述した実施形態１および２におけるような脱落防止機構は必要でない。また、装着にあたり高圧コードを必要としないのは上記実施形態１および２の場合と同様であり燃焼装置を安価に提供することができる。
【００５６】
実施形態４
次に、本発明の第四の実施形態を図１１乃至図１５に基づいて説明する。この第四の実施形態は、点火装置１の装着構造と遮熱構造を改変したものである。
【００５７】
図１１は、上記点火装置１の外観形状を示しており、図１１(a)は点火装置１の背面図（バーナケース側から見た状態）を、図１１(b)は同点火装置１の右側面図を、図１１(c)は同点火装置１の平面図を示している。
【００５８】
具体的には、本実施形態における点火装置１においては、上述した実施形態と同様に、その側面（左側面）１１ａに上記高電圧出力端子１２と、回路グランド端子１４とが備えられているが、バーナケース２２への装着時に案内手段を構成する部材（ガイド片９４）は点火装置１の背面に形成されている。また、点火装置１の上面１１ｂには、バーナケース２２側と係合する係合突起９５，９６が設けられている。
【００５９】
上記ガイド片９４は、図示のように、点火装置１の装着方向に沿って配置された案内板で構成され、本実施形態ではこのガイド片９４は、上記点火装置１の背面１１ｃから起立して一対のガイド片９４が並行配置されている。また、上記係合突起９５，９６は、図１１(a)，(c)に示すように、点火装置１の装着方向に沿って配設され、装着方向の先端側に位置する係合突起９５は、その先端側から基端側にかけて隆起し、基端部が点火装置１の上面１１ｂに向けて略垂直に切り落とされた形状とされている。一方、装着方向の基端側に位置する係合突起９６は、その先端側が点火装置１の上面１１ｂから略垂直に立ち上がり、基端側に向かってその高さが低くなるように構成されている。
【００６０】
図１２は、バーナケース２２に装着されるプラグ固定板（点火装置１の取付装置）５の外観形状を示しており、図１２(a)は同プラグ固定板５の背面図（バーナケースに当接される側から見た状態）を、図１２(b)は同プラグ固定板５の右側面図を、図１２(c)は同プラグ固定板５の平面図を示している。
【００６１】
具体的には、本実施形態におけるプラグ固定板５も、上述の実施形態と同様に、点火装置１の回路グランド端子１４と係合可能なタブ７１（回路グランド装着端子７）を備えて構成されるが、本実施形態のプラグ固定板５は、点火装置１を保持する保持構造の面で上述した実施形態２と相違する。
【００６２】
すなわち、本実施形態のプラグ固定板５は、ビス止め等により上記バーナケース２２に取り付け可能に構成された装着部５１と、この装着部５１によって位置決めされ、かつ上記バーナケース２２の外壁から所定間隔離れた位置に上記点火装置１を保持する点火装置保持部５２と、この点火装置保持部５２に保持された点火装置１と上記バーナケース２２との間に介装される遮熱部５３とを備えて構成されており、そして、上記回路グランド装着端子７を構成するタブ７１は、上記装着部５１を介して上記バーナケース２２の外壁と電気的に接続可能なように上記装着部５１に延設されている。
【００６３】
具体的には、上記装着部５１は、図示のように、その中央に点火プラグ３とフレームロッド８を挿通するための貫通孔５１ａが形成されるとともに、バーナケース２２へのビス止め用のネジ孔５１ｂが形成されている。
【００６４】
上記点火装置保持部５２は、上記装着部５１から延設される位置決め部材５４の先端に設けられてなり、上記点火装置１を挿入可能なように矩形断面を有する筒状の部材で構成されている。具体的には、上記位置決め部材５４は、点火装置保持部５２に保持された点火装置１の外壁と上記バーナケース２２の外壁との間隔を設定するための部材であって、上記装着部５１の一端を正面側（バーナケース２２から離れる方向）に向けて折曲することにより形成されている。
【００６５】
そして、上記点火装置保持部５２には、図１２(a)，図１２(b)に示すように、上記筒状の部材の背面側に点火装置１の装着方向に沿って上記ガイド片９４，９４を挿通可能なガイドスリット５５が一対形成されるとともに、その上面には、上記点火装置１を点火装置保持部５２に挿入する際に、上記点火装置１の係合突起９５，９６を案内する矩形の切欠き５６と、点火装置１の挿入完了時に上記係合突起９５の基端部と係合して点火装置１の抜け止めを防止する矩形の貫通孔５７とが形成されている。また、上記切欠き５６の一端には、進入規制片５８が起立状に設けられており、点火装置１の挿入時にこの進入規制片５８が上記係合突起９６の先端部（先端面）と接触することによって点火装置１の進入が規制されるように構成されている。
【００６６】
上記遮熱部５３は、バーナケース２２から放射される熱が点火装置１に伝達されるのを防ぐための部材であって、本実施形態では、この遮熱部５３は、上記ガイドスリット５５，５５を設けることによってこれらの間に形成された板状の部材をＬ字状に曲折することにより上記板状の部材が、点火装置保持部５２に保持された点火装置１と上記バーナケース２２との間にこれら双方と非接触の状態で介装されている。
【００６７】
つまり、この遮熱部５３は、上記点火装置１をプラグ固定板５に装着した状態で、点火装置１の外壁と遮熱部５３の一方（正面側）の面との間、およびバーナケース２２の外壁と上記遮熱部５３の他方（背面側）の面との間の双方にそれぞれに空気層を形成し、この空気層によって放射熱を遮断するように構成されている。
【００６８】
そこで、次に点火装置１の装着方法を図１３および図１４に基づいて説明する。図１３は点火装置１をプラグ固定板５に装着する直前の状態を示しており、また、図１４は、点火装置１をプラグ固定板５に装着した状態を示している。なお、これらの図はいずれもバーナケース２２側から見た斜視図を示しており、また、図においてプラグ固定板５はバーナケース２２に既に装着されているものとし、バーナケース２２の図示は省略する。
【００６９】
点火装置１の装着にあたっては、点火装置１をプラグ固定板５の点火装置保持部５２の位置に合わせながら（図１３参照）、点火装置１のガイド片９４，９４をプラグ固定板５のガイドスリット５５，５５に挿通させつつ、点火装置１の係合突起９５がプラグ固定板５の貫通孔５７に挿入され、かつ上記係合突起９６が進入規制板５８に当接するまで、上記点火装置１を点火装置保持部５２内に挿入する（図１４参照）。その際、点火装置１の高電圧出力端子１２と点火プラグ３の高電圧入力端子（図示せず）とを係合させるとともに、点火装置１の回路グランド端子１４とプラグ固定板５のタブ７１とを係合させる。
【００７０】
図１５は、図１１や図１２に対応させて、点火装置１をプラグ固定板５に装着した状態を示した図であり、図１５(a)は同状態を示す背面図（バーナケース側から見た状態）を、図１５(b)は同状態の右側面図を、図１５(c)は同状態の平面図を示している。
【００７１】
このように、本実施形態によれば、上述した実施形態（特に実施形態１および２）と同様に、高圧コードを用いることなく点火装置１をバーナケース２２側にワンタッチで接続できる。しかも、バーナケース２２から放射される熱は遮熱部５３およびこれにより形成される空気層によって遮断されるので、点火装置１をバーナケース２２の近傍に配置しても、点火装置１がバーナケース２２からの放射熱によって異常加熱されることがなく、点火装置１の故障を未然に防止することができる。
【００７２】
なお、上述した実施形態はあくまでも本発明の好適な実施態様を示すものであって、本発明はこれらに限定されることなくその範囲内で種々の設計変更が可能である。  
【００７３】
たとえば、上述した実施形態では、点火装置１を箱型に形成した場合を示したが、点火装置１の形状は適宜設計変更可能である。特に、上述した実施形態１および２の場合にあっては、高電圧出力端子１２と回路グランド端子１４とが同一平面上に設けられていれば他の形状を採用することも可能である。
【００７４】
また、上述した実施形態１および２では、点火装置１を高電圧出力端子１２や回路グランド端子１４の差し込み方向に沿って真っ直ぐに装着する場合を示したが、たとえば、図８(a) に示すように、高電圧出力端子１２のみを先に嵌合させ、その後図８(b) に示すように、高電圧出力端子１２を回転軸として点火装置１をひねり込んで回路グランド端子１４を差し込むように構成することも可能である。なお、この場合、回路グランド装着端子７および回路グランド端子１４は、図示のように縦向き形成するのが好ましい。
【００７５】
また、この他、点火装置１またはバーナケース２２のいずれか一方に、高電圧出力端子１２と高電圧入力端子３１の接続部分や、回路グランド端子１４と回路グランド装着端子７との接続部分、あるいは点火装置の電源入力端子１３と低圧コード６との接続部分のうちの少なくとも一つを保護する保護手段を設けることも可能である。この保護手段としては、たとえば、図１(a)の二点鎖線で示すように、点火装置１の上面に防塵、防滴、放電リーク防止等を目的とする庇部２０を延設する等の構成が採用され得る。また、他の態様としては、たとえば、高電圧出力端子１２や回路グランド端子１４などの各端子の周囲をその全周にわたって各端子と略同形状の筒状のカバーで覆うようにすることもできる。なお、このように端子の保護手段として装置筐体１１の側面１１ａに起立状の筒状カバーを設ける構成を採用する場合、該筒状カバー内に水などが溜まらないように、該カバーの一部に水抜き用のスリットや孔を形成したり、あるいは図１３に示すように、保護カバー２０ａ自体を半割りにして端子周囲の半分の範囲を覆うようにすることもできる。
【００７６】
さらに、点火装置１の高電圧出力端子１２と回路グランド端子１４との間には、水滴等の付着による両端子１２，１４の短絡を防止するための短絡防止手段を設けてもよい。この短絡防止手段としては、たとえば、図９に示すように、これら両端子１２，１４が設けられた装置筐体１１の側面１１ａに、該側面１１ａを伝って落下する水滴等を排出する排出溝１５を形成したり、あるいは図１０に示すようにこれら両端子１２，１４間に両端子１２，１４を仕切るための板状の突起部１６を設けることなどが可能である。なお、上記排出溝１５は、水滴等の自然排出を促進するために、図９に示すように凹状の溝の左右両端が下向きになるように山形状に形成するのが好ましいが、たとえば左右両端のいずれか一方のみが下向きになるように直線状の溝を斜めに形成することも可能である。また、上記突起部１６は、図１０に示すように水平に形成することも可能であるが、上述した排出溝１５のように左右両端が下向きになるように山形状に形成したり、あるいは左右両端のいずれか一方のみが下向きとなるように斜めに配置させることも可能である。
【００７７】
さらに、回路グランド端子１４のバーナケース２２側への接続にあたり、上述した実施形態では、回路グランド端子１４をバーナケース２２側に直接接続する場合を示したが、たとえば電装線を介して接続することも可能である。なお、この場合、取付作業の面では不利であるが高圧コードは不要であるので、燃焼装置を低コストで提供することができる。
【図面の簡単な説明】
【００７８】
【図１】本発明の実施形態１に係る点火装置およびバーナ装置の概略構成を示す説明図であって、図１(a)は、点火装置の装着方法を示す斜視図であり、図１(b)は、図１(a)のＩ−Ｉ線に沿った断面の端面図である。
【図２】同点火装置の左側面図である。
【図３】本発明の実施形態２に係る点火装置およびバーナ装置の概略構成を示す説明図であって、図３(a)は、点火装置の装着方法を示す斜視図であり、図３(b)は、図３(a)のＩＩ−ＩＩ線に沿った断面の端面図である。
【図４】同バーナ装置における点火装置保持基板の形状を示す平面図である。
【図５】同点火装置の係合保持手段の形状を示す説明図であり、図５(a)は同点火装置の平面図を、図５(b)は正面図を、図５(c)は左側面図を示している。
【図６】同点火装置の装着手順を示す説明図である。
【図７】本発明の実施形態３に係る点火装置およびバーナ装置の概略構成を示す説明図である。
【図８】本発明に係る点火装置の他の装着方法を示す説明図である。
【図９】本発明に係る点火装置における短絡防止手段の一例を示しており、図９(a)は同点火装置の斜視図を、図９(b)は左側面図をそれぞれ示している。
【図１０】本発明に係る点火装置における短絡防止手段の他の一例を示しており、図１０(a)は同点火装置の斜視図を、図１０(b)は左側面図をそれぞれ示している。
【図１１】本発明の実施形態４に係る点火装置の外観形状を示しており、図１１(a)は同点火装置の背面図を、図１１(b)は同点火装置１の右側面図を、図１１(c)は同点火装置１の平面図を示している。
【図１２】本発明の実施形態４に係るプラグ固定板（点火装置の装着装置）の外観形状を示しており、図１２(a)は同プラグ固定板の背面図を、図１２(b)は同プラグ固定板の右側面図を、図１２(c)は同プラグ固定板の平面図を示している。
【図１３】本発明の実施形態４に係る点火装置の装着方法を説明するための斜視図である。
【図１４】本発明の実施形態４に係る点火装置の装着方法を説明するための斜視図である。
【図１５】本発明の実施形態４に係る点火装置をプラグ固定板に装着した状態を示しており、図１５(a)は同状態の背面図を、図１５(b)は同状態の右側面図を、図１５(c)は同状態の平面図を示している。
【図１６】従来の点火装置の取付構造を示す説明図である。
【符号の説明】
【００７９】
１              点火装置
１１            装置筐体
１２            高電圧出力端子
１４            回路グランド端子
１５            排出溝（短絡防止手段）
１６            突起部（短絡防止手段）
２              バーナ装置
２１            バーナユニット
２２            バーナケース
３              点火プラグ
３１            高電圧入力端子
４              ビス（締付具）
５              プラグ固定板（点火装置の装着装置）
５１            装着部
５２            点火装置保持部
５３            遮熱部
７              回路グランド装着端子
７１            タブ（ファストンタブ端子）
９              係合保持手段
【図１】
2005098667.tif 000003
【図２】
2005098667.tif 000004
【図３】
2005098667.tif 000005
【図４】
2005098667.tif 000006
【図５】
2005098667.tif 000007
【図６】
2005098667.tif 000008
【図７】
2005098667.tif 000009
【図８】
2005098667.tif 000010
【図９】
2005098667.tif 000011
【図１０】
2005098667.tif 000012
【図１１】
2005098667.tif 000013
【図１２】
2005098667.tif 000014
【図１３】
2005098667.tif 000015
【図１４】
2005098667.tif 000016
【図１５】
2005098667.tif 000017
【図１６】
2005098667.tif 000018